(57)【要約】【課題】本発明は、測量機の中のレーザレベルの設置位置を地盤より低い位置より２mを超す位置まで設置可能な測量用三脚を提供することを目的とする。【解決手段】本発明によるレーザレベルの三脚用昇降装置は、市販の三脚の脚頭に取り付けて、ギア機構によって上下方向に昇降可能に取り付けられた昇降軸に３か所台座を取り付け、台座間を移動させることによって、台座に設置したレーザレベルが地盤より低い位置から２メートルを超える位置まで投光可能となっている。【選択図】  図１
2010223878.tif 000002
【特許請求の範囲】
【請求項１】
測量用三脚の脚頭に、着脱可能なレーザレベルの昇降装置であって、前記昇降装置の昇降軸は２mほどの長さで上下両端と中ほどにレーザレベルを設置する台座を設け、回転手段によってギア機構を介して前記昇降軸が昇降操作される昇降装置と、前記レーザレベルを昇降装置に設置した場合の重心を安定させるためのカウンターウェイトとを、水準機構を下側に備えた基部の上に構成したことを特徴とするレーザレベルの三脚用昇降装置。
【請求項２】
前記昇降軸のギア機構の昇降手段と、レーザレベルを３つある台座の間で位置を置き換えることよって、地盤より低い位置から２mをこえる位置まで、どの位置においてもレーザレベルの投光が可能であるレーザレベルの三脚用昇降方法。
【請求項３】
前記昇降装置の昇降軸が中ほどに設けた台座付近で、分割可能に構成され、蝶ねじによって脱着できることを特徴とする請求項１記載のレーザレベルの三脚用昇降装置。
【請求項４】
前記昇降装置の昇降軸のガイド側の面には昇降移動量が分かるようにセンチ及びミリ単位の目盛表示がされていることを特徴とする請求項１及び請求項２の少なくとも一つ記載のレーザレベルの三脚用昇降装置。
【発明の詳細な説明】
【技術分野】
【０００１】
本発明は、測量機の中で、土木や建築の工事現場で高さの基準となるレーザレベル（レーザ投光器）を支持するための測量機用エレベータ三脚に関する。
【背景技術】
【０００２】
本件出願人が先に特願２００８−３２９７４５号で提案した掘削支援装置をバックホウに取り付けて作動させる際に、所望する掘削高さの１．４メートル〜１．９メートルの高さにレーザ光を投光しなければならない。そのために開発されたレーザレベルの三脚用昇降装置である。この昇降装置はレーザ光を溝掘り掘削においては、地盤の高さより低い位置から、２メートルを超えるくらいの高さまで、レーザ光を投光出来るものである。従来の測量機の三脚は、１メートルくらいから１．５メートルくらいまで調整可能なエレベータ式の三脚はあった。
【特許文献１】実開平７−５２５０
【特許文献２】特開平１１−５１６５３
【発明の開示】
【発明が解決しようとする課題】
【０００３】
従来の測量機を低い高さに設定する方法は、三脚を大きく開いて、エレベータ式の軸を一番短くして設定する方法が、一番低い設定方法であった。高い位置に関しては、三脚の伸縮する足を一番長くして設定し、エレベータ式を利用して高い位置まで伸ばすことができた。結果、低い高さに設定することは、出来なかった。本考案は従来の測量機の設定に関するこのような問題に鑑見てなされたものであって、設定位置が溝掘り掘削においては、地盤よりも低い場合にも使用することができ、なおかつ高い位置まで途切れることなく、設定可能なレーザレベルの三脚用昇降装置を提供することを目的とする。
【課題を解決するための手段】
【０００４】
このような、目的を達成するために、測量用三脚の脚頭に、着脱可能なレーザレベルの昇降装置であって、前記昇降装置の昇降軸は２mほどの長さで上下両端と中ほどにレーザレベルを設置する台座を設け、回転手段によってギア機構を介して前記昇降軸が昇降操作される昇降装置と、前記レーザレベルを昇降装置に設置した場合の重心を安定させるためのカウンターウェイトとを、水準機構を下側に備えた基部の上に構成した。また前記昇降装置の昇降軸が中ほどに設けた台座付近で、分割可能に構成され、蝶ねじによって脱着できるように構成した。前記昇降装置の昇降軸のガイド側の面には昇降移動量が分かるようにセンチ及びミリ単位の表示がされていることを特徴とする構成にした。
【発明の効果】
【０００５】
このように本発明によれば、レーザレベルの三脚用昇降装置の台座が、昇降自在であるために、溝掘り掘削においては、地盤より低い位置から２メートルを超える位置まで、レーザレベルを設定可能となった。このことによって、特願２００８−３２９７４５に提案されている掘削支援装置を使用する場合、所望する掘削高さの１．４ｍ〜１．９ｍ上方の高さの範囲の中でのレーザレベルの設定が早く、簡単にできるようになった。
【発明を実施するための最良の形態】
【０００６】
本発明のレーザレベルの三脚用昇降装置の実施例を図に基づいて説明する。図１は、本発明のレーザレベルの三脚用昇降装置の側面図である。図２は、本発明のレーザレベルの三脚用昇降装置の基部付近の断面図である。市販されているレベル用の三脚２の脚頭３の上に、本発明レーザレベルの三脚用昇降装置１を設置して使用できるようになっている。
前記昇降装置は、基部５の上部に昇降軸６がギア機構９によって上下するように取り付けられており、昇降軸６には、レーザレベル４が設置される台座７が３か所設けられている。また、三脚２の中心よりレーザレベル４の位置がずれているため、転倒を防止するために中心よりレーザレベル４の反対側にカウンターウェイト１２を設けている。
【０００７】
昇降軸６は、レーザレベルの三脚用昇降装置１を設置した状態で、地盤高さより低い高さから地盤より２メートルを超える高さまでどの高さにおいても、レーザレベルを設置できる長さを持つ。また、昇降軸６の上下の端部と中ほどにレーザレベルを設置できる台座７を備えている。各台座７には円形気泡管１５を設けている。本考案の例においては、昇降軸６は２mの長さで各台座６間は、１mの間隔を持つ。また持ち運びのために、下側１mの昇降軸脱着部Dは、脱着可能に形成されている。また、昇降軸６側面には、センチ及びミリ単位の目盛１６が表示されており、移動した昇降幅が分かるようになっている。また、昇降軸６の三脚２側面には、軸線方向にラックが刻設されており、このラックにはギア機構９に内蔵されたピニオンが噛み合っている。このピニオンはクランクハンドル１１に連結されたウォームに噛み合っており、クランクハンドル１１を回転操作することで昇降軸６が軸線方向に昇降し、台座７の高さ位置を調整可能にしている。
【０００８】
昇降軸６を軸線方向に移動可能に保持するコの字状の溝を形成したガイド１０が、ギア機構９両側から昇降軸６を挟むように設けられている。また、昇降後、昇降軸６のガタつきを無くすための固定ネジ１３をガイド１０上下左右に４か所に設けている。
【０００９】
カウンターウェイト１２は、レーザレベル４の大きさによって重量を増減できるようになっており、少しレーザレベルより重い方が安定している。
【００１０】
本発明のレーザレベルの三脚用昇降装置１の使用方法を説明する。前記昇降装置は、昇降軸６が長いので、初めは下側の昇降軸脱着部Dを外しておく。設置したい場所に、三脚２を立てて脚頭３の上に三脚用昇降装置１を取り付ける。それから、昇降軸６のガイド１０の固定ネジ１３を締めて昇降軸６を固定する。三脚２の脚頭３もほぼ水平に立てたいので、昇降装置１を三脚２に取り付けた状態で、台座７に取り付けられた円形気胞管１５を見ながら水平に立てる。微調整は、基部５の下側に設けられた水準機構８で調整する。特願２００８−３２９７４５に提案されている掘削支援装置を使用する場合、指定掘削高さH0の１．４ｍ〜１．９ｍ上方の高さの範囲の中に（掘削するバックホウの機種で数値は変わる）、レーザレベルの設定をしなければならない。
図３は、本発明のレーザレベルの三脚用昇降装置の上下水道工事における溝掘削の場合の実施例の平面図である。まず、指定掘削高さH0（所望する掘削高さ）の１．４m程度上方の位置を検討してみる。たとえば、指定掘削高さH0が地盤高さくらいであれば、１．４m上がった高さは、三脚２の脚頭３くらいなので、そのくらいの高さにレーザレベル４を設置する。それから、正確にレーザレベル４によって掘削深さを割り出す。もし、１．４mから低い場合は、低い高さだけレーザレベル４を昇降軸６の側面の目盛を見ながら上昇させる。最後に掘削高さをもう一度確認しておく。次に、下水道工事などで地盤からの掘削が深い場合、例えば、地盤から１．５m程度下方を掘削する場合、一部掘削した溝に三脚２を図３のように掘削溝２０をまたがせて足を広げて、円形気泡管１５を合わせて設置する。指定掘削深さH0の１．４mくらい上がったところがレーザレベル４の設置する位置であるから、下の端の台座７の位置を、地盤より０．１mほど下がった状態に昇降軸６を移動させる。最初にレーザレベル４を設置する位置は、中段の台座７が地盤より０．９mくらい上がっているので、中段の位置に設置して、それから指定掘削深さH0から昇降軸６中段位置でのレーザ光高さまでの距離L1の高さを出す。L１の値がたとえば２．６ｍだとすると、下の台座７に設置した場合のレーザレベルの高さは１．６mなので０．２mほど昇降軸を下げて、もう一度掘削高さを確認する。それから、レーザレベル４を下の台座７に移動して設置する。最初に台座７を水平にセットしてそれからレーザレベル側の水平もセットしているので移動した場合、ほとんど誤差は無視できるが、本考案のレーザレベルの三脚用昇降装置１は、掘削専用の高さ管理なので、誤差は無視してよい。
【００１１】
台座間移動における誤差をここで考えてみる。ひとつの台座７の円形気泡管１５に水平を合わせて本発明のレーザレベルの三脚用昇降装置１を立てるのであるが、昇降軸６が変形、若しくは傾いて昇降する場合、例えば角度で５度傾斜すると昇降軸６の長さが２mあるので、垂直方向の距離が２ｍ×COS５＝１．９９２ｍとなり１センチ程度短くなる。上下両端部の台座７間の移動は、１センチほど誤差が出るようになる。しかし上述と同じように、掘削専用の高さ管理なので、かまわない。
【００１２】
本発明のレーザレベルの三脚用昇降装置１は、市販の三脚２に脱着して使用するようになっているが、専用型として、三脚２の中心に昇降装置を設置して、それを囲うようにコの字状に基部５を形成し、その基部５を三脚２で支持する構成にしてもかまわない。
【図面の簡単な説明】
【００１３】
【図１】本発明のレーザレベルの三脚用昇降装置の側面図である。
【図２】本発明のレーザレベルの三脚用昇降装置の基部付近の断面図である。
【図３】本発明のレーザレベルの三脚用昇降装置の上下水道工事における溝掘削の場合の実施例の平面図である。
【符号の説明】
【００１４】
１    レーザレベルの三脚用昇降装置
２    三脚
３    脚頭
４    レーザレベル
５    基部
６    昇降軸
７    台座
８    水準機構
９    ギア機構
１０  ガイド
１１  クランクハンドル
１２  カウンターウェイト
１３  固定ネジ
１４  マウントネジ
１５  円形気泡管
１６  目盛
１７  脱着用蝶ネジ
１８  腹起し
１９  矢板
２０  掘削溝
H0    指定掘削深さ
H1    昇降軸上段位置でのレーザ光高さ
H2    昇降軸中段位置でのレーザ光高さ
H3    昇降軸下段位置でのレーザ光高さ
L1    指定掘削深さから昇降軸上段位置でのレーザ光高さまでの距離
D    昇降軸脱着部  
【図１】
2010223878.tif 000003
【図２】
2010223878.tif 000004
【図３】
2010223878.tif 000005